(57)【要約】【課題】  喫煙エリアの外に煙草の煙が出てしまうおそれを従来よりも少なくする。【解決手段】  部屋３の天井５に設けられる空気吸引口７と、空気吸引口７から離れて部屋３の天井５に設けられる空気吹出口９と、部屋３の天井５に設けられ空気吹出口９から吹き出した空気を天井５に沿うようにしてやや上向きで空気吸引口７に向かって送り出すフラップ１１とを有する。【選択図】図１
2007040582.tif 000002
【特許請求の範囲】
【請求項１】
部屋の天井に設けられる空気吸引口と；
前記空気吸引口から離れて前記部屋の天井に設けられる空気吹出口と；
前記部屋の天井に設けられ、前記空気吹出口から吹き出した空気を、前記天井に沿うようにしてやや上向きで前記空気吸引口に向かって送り出すフラップと；
を有することを特徴とする分煙システム。
【請求項２】
請求項１に記載の分煙システムにおいて、
前記空気吸引口から吸引された空気の一部が、前記空気吹出口から吹き出され、前記空気吸引口から吸引された空気の他の一部が、前記部屋の外に排出されるようになっていることを特徴とする分煙システム。
【請求項３】
請求項１または請求項２に記載の分煙システムにおいて、
平面視したときに、前記フラップのみで前記空気吸引口を囲むように前記フラップが設けられ、または、前記フラップと前記部屋の側壁とで前記空気吸引口を囲むように前記フラップが設けられていると共に、前記空気吸引口は前記フラップからの空気の流れの最下流位置の近傍に設けられていることを特徴とする分煙システム。
【請求項４】
空気吸引口とこの空気吸引口から吸入した空気を清浄化して噴き出す空気吹出口とを下面に備えた天井取り付け型の空気清浄機に使用される分煙ユニットにおいて、
前記空気清浄機の空気吹出口からの空気の吹き出しを止めるための栓と；
前記空気清浄機の空気吹出口の上流で前記空気清浄機内に位置している空気流路を流れている空気の一部を、前記空気清浄機が取り付けられる部屋の外部に排出するための第１のダクトと；
前記空気清浄機の空気吹出口の上流で前記空気清浄機内に位置している空気流路を流れている空気の他の一部を、前記空気清浄機が取り付けられる部屋の天井から前記部屋内に吹き出すための第２のダクトと；
前記第２のダクトから吹き出た空気を、前記天井に沿うようにしてやや上向きで前記空気吸引口に向かって送り出すフラップと；
を有することを特徴とする分煙ユニット。
【発明の詳細な説明】
【技術分野】
【０００１】
本発明は、分煙システムおよび分煙ユニットに係り、特に、フラップを用いて分煙を行なうものに関する。
【背景技術】
【０００２】
従来、喫煙ルームにエアー吸引口とエアー吹出口とを設け、前記喫煙ルーム外に外部吹出口を設け、前記エアー吸引口と前記エアー吹出口と前記外部吹出口との間に集塵部と送風機とを設け、前記エアー吹出口に風向き調整弁を設けると共に、この調整弁で同時に複数方向（たとえば、前記喫煙ルームの真下方向や斜め下方向）にエアーを送る構成の喫煙ルーム（分煙システム）が知られている（たとえば、特許文献１、図２等参照）。
【特許文献１】特開２００１−２０５４７号公報
【発明の開示】
【発明が解決しようとする課題】
【０００３】
前記従来の分煙システムは、風向き調整弁で、喫煙ルームの真下方向に風を吹き出してエアーカーテンを形成し、また、斜め下方向に風を吹き出して煙草の煙が前記エアー吸引口に向かうようにし、前記喫煙ルームの外に煙草の煙が出ないようにしている。
【０００４】
しかし、実際には、前記喫煙ルーム（喫煙エリア）の外に煙草の煙が出てしまうおそれがあるという問題がある。
【０００５】
たとえば、喫煙ルーム内での前記エアーカーテンの近傍で煙草を吸った場合、前記エアーカーテンによって煙草の煙が真下方向に流され、この真下方向に流された煙が喫煙ルームの床に当たって跳ね返り、この跳ね返った煙の一部は前記喫煙ルームの内側に向かうが、跳ね返った煙の他の一部が前記喫煙ルームの外側に漏れてしまうからである。
【０００６】
本発明は、前記問題点に鑑みてなされたものであり、喫煙エリアの外に煙草の煙が出てしまうおそれを従来よりも少なくすることができる分煙システムおよび分煙ユニットを提供することを目的とする。
【課題を解決するための手段】
【０００７】
請求項１に記載の発明は、部屋の天井に設けられる空気吸引口と、前記空気吸引口から離れて前記部屋の天井に設けられる空気吹出口と、前記部屋の天井に設けられ、前記空気吹出口から吹き出した空気を、前記天井に沿うようにしてやや上向きで前記空気吸引口に向かって送り出すフラップとを有する分煙システムである。
【０００８】
請求項２に記載の発明は、請求項１に記載の分煙システムにおいて、前記空気吸引口から吸引された空気の一部が、前記空気吹出口から吹き出され、前記空気吸引口から吸引された空気の他の一部が、前記部屋の外に排出されるようになっている分煙システムである。
【０００９】
請求項３に記載の発明は、請求項１または請求項２に記載の分煙システムにおいて、平面視したときに、前記フラップのみで前記空気吸引口を囲むように前記フラップが設けられ、または、前記フラップと前記部屋の側壁とで前記空気吸引口を囲むように前記フラップが設けられていると共に、前記空気吸引口は前記フラップからの空気の流れの最下流位置の近傍に設けられている分煙システムである。
【００１０】
請求項４に記載の発明は、空気吸引口とこの空気吸引口から吸入した空気を清浄化して噴き出す空気吹出口とを下面に備えた天井取り付け型の空気清浄機に使用される分煙ユニットにおいて、前記空気清浄機の空気吹出口からの空気の吹き出しを止めるための栓と、前記空気清浄機の空気吹出口の上流で前記空気清浄機内に位置している空気流路を流れている空気の一部を、前記空気清浄機が取り付けられる部屋の外部に排出するための第１のダクトと、前記空気清浄機の空気吹出口の上流で前記空気清浄機内に位置している空気流路を流れている空気の他の一部を、前記空気清浄機が取り付けられる部屋の天井から前記部屋内に吹き出すための第２のダクトと、前記第２のダクトから吹き出た空気を、前記天井に沿うようにしてやや上向きで前記空気吸引口に向かって送り出すフラップとを有する分煙ユニットである。
【発明の効果】
【００１１】
本発明によれば、喫煙エリアの外に煙草の煙が出てしまうおそれを従来よりも少なくすることができるという効果を奏する。
【発明を実施するための最良の形態】
【００１２】
図１〜図３は、本発明の実施形態に係る分煙システム１の概略構成を示す図であり、図１は、分煙システム１の正面図であり、図２は図１におけるＩＩ矢視を示す図であり、図３は、図１におけるＩＩＩ矢視を示す図である。
【００１３】
分煙システム１は、部屋３の天井（水平方向に展伸している天井）５に設けられている空気吸引口（前記部屋３内の空気を吸引するための吸引口）７と、空気吸引口７から離れて部屋３の天井５に設けられている空気吹出口（部屋３内へ空気を吹き出す吹出口）９とを備えている。
【００１４】
空気吹出口９から吹き出された空気は、部屋３の天井５に設けられフラップ１１により、天井５に沿うようにしてやや上向きで空気吸引口７に向かって送り出されるようになっている（図１の矢印ＡＲ５参照）。また、空気吸引口７から吸引された空気の一部が、空気吹出口９から吹き出され、空気吸引口７から吸引された空気の他の一部が、部屋３の外に排出されるようになっている。
【００１５】
より詳しく説明すると、部屋３の天井５には空気清浄機１３が設けられている。この空気清浄機１３は、たとえば矩形状の筐体１５を備えており、この筐体１５の下部（下面）に、空気吸引口７が設けられている。このように、空気吸引口７が設けられていることにより、空気吸引口７は天井５に設けられていることになる。筐体１５の上側は天井５の上側（いわゆる天井裏）に存在している。
【００１６】
筐体１５の内部には、図示しない集塵部（たとえば、静電式集塵装置）が設けられている。なお、筐体１５の内部に熱交換をするための熱交換器を設け空気清浄機１３を空気調和機として部屋３の空気の温度を調節することができるようにしてもよい。
【００１７】
また、筐体１５の側面には、複数の空気排出口（空気清浄機１３の空気吹出口）１７が設けられている。前記各空気排出口１７には、複数のダクト１９、２１が接合されており、前記各ダクト１９、２１のうちの１本のダクト１９は、部屋３の外部（外部通気口１９Ａ）に通じており、他のダクト２１は部屋３の空気吹出口９に通じている。前記各ダクト１９、２１は、部屋３の天井５の上側に存在し、部屋３内からは見えないようになっている。
【００１８】
そして、筐体１５に設けられた送風機（図示せず）を稼動すると、空気吸引口７から空気が吸い込まれ、この吸い込まれた空気が筐体１５の内部で前記集塵部を通過し、前記集塵部等を通過した空気の一部が、前記１本のダクト１９を通って部屋３の外部に排出され、前記集塵部等を通過した残りの空気が各ダクト２１を通って空気吹出口９から吹き出されるようになっている。
【００１９】
なお、空気吸引口７から吸引した空気の一部を、前記集塵部を通過させないで部屋３の外に排出し、空気吸引口７から吸引した残りの空気が、前記集塵部を通過してダクト２１を通り空気吹出口９から吹き出される構成にしてもよい。
【００２０】
さらには、空気清浄機等を設けないで、空気吸引口７から吸引した空気の総てを部屋３の外に排出し、部屋３の外から新鮮な空気を吸引しこの吸引した空気を空気吹出口９から部屋３に吹き出す構成にしてもよい。
【００２１】
また、図２や図３に示すように平面視すると、フラップ１１と部屋３の側壁２３、２５とで空気吸引口７を囲むようにフラップ１１が設けられていると共に、空気吸引口７はフラップ１１からの空気の流れの最下流位置の近傍に設けられている。換言すれば、側壁２３、２５の近傍であって各フラップ１１から最も離れたところに空気吸引口７が存在している。
【００２２】
なお、図２や図３では、空気吸引口７が各側壁２３、２５から若干離れて設けられているが、空気吸引口７（空気清浄機１３）を矢印ＡＲ１で示す方向に移動し、空気吸引口７を各側壁２３、２５の近傍に設けることが望ましい。
【００２３】
また、天井５と、床２７と、平面視において「Ｌ」字状に配置された複数のフラップ１１と、平面視において「Ｌ」字状に配置された部屋３の各側壁２３、２５とで囲まれた部屋３の直方体状の部位（空間）に、分煙システム１による喫煙エリア２９が形成される。
【００２４】
また、フラップ１１と空気吸引口７との距離Ｌ２（図３参照）は、２ｍ〜８ｍ程度（好ましくは５ｍ〜６．５ｍ程度、より好ましくは５ｍ程度）であることが望ましく、フラップ１１から送り出される空気の流速は、０．３８ｍ／ｓ〜１．６０ｍ／ｓ（より好ましくは、０．５ｍ／ｓ〜１．１ｍ／ｓ）であることが望ましい。
【００２５】
ここで、フラップ１１について詳しく説明する。
【００２６】
図４は、フラップ１１およびフラップ１１とダクト２１との間に設けられたアダプタ３０の概略構成を示す図であり、図２のＩＶ−ＩＶ矢視図である。
【００２７】
図５は、図４におけるＶ−Ｖ断面を示す図である。
【００２８】
フラップ１１は、前述したように、空気吹出口９から吹き出た空気を空気吸引口７に向かって送り出すために天井５の下側に設置されて使用される。
【００２９】
また、フラップ１１は、薄い板状で細長い矩形状に形成されている上側部材３１と、薄い板状で細長い矩形状に形成されている側方部材３３と、薄い板状で細長い形状に形成されている下側部材３５と、薄い板状で矩形状に形成されている各端部部材３７、３９とによって細長い枡状に形成されている。
【００３０】
フラップ１１が天井５の下側に設置された際、上側部材３１は、天井５と対向もしくは接触するようになっている。上側部材３１の幅方向（図５の左右方向）の一端部側には、上側部材３１とほぼ同じ長さの側方部材３３が一体的に立設（垂設）されており、側方部材３３の下端部側（図５の下側）には、側方部材３３とほぼ同じ長さの下側部材３５が、上側部材３１と対向するようにして一体的に立設されている。
【００３１】
また、上側部材３１と側方部材３３と下側部材３５とで形成される内側の空間３６の長手方向の両端部を塞ぐように、上側部材３１と側方部材３３と下側部材３５との長手方向の両端部側（図４の左右両側）には、各端部部材３７、３９が一体的に設けられている。
【００３２】
さらに、上側部材３１には、貫通孔４１が設けられている。この貫通孔４１は、側方部材３３が立設されている側で上側部材３１の長手方向（図４の左右方向；図５の紙面に直角な方向）に延びて、上側部材３１の長手方向のほぼ全長にわたり設けられている。
【００３３】
前記アダプタ３０は、フラップ１１とほぼ同じ長さで下側が開いている枡状に形成されており、下側でフラップ１１の上面と接合されている。そして、フラップ１１と共に設置された場合には、天井５の上側に位置するようになっている。アダプタ３０の側面には貫通孔４３が設けられており、この貫通孔４３にダクト２１が接続されている。
【００３４】
上側部材３１の長手方向（側方部材３３の長手方向、下側部材３５の長手方向）に垂直な平面による前記上側部材３１と前記側方部材３３と前記下側部材３５との断面は、前記貫通孔４１の存在を無視すれば、図５に示すように、ほぼ「コ」字状に形成されており、
また、前記平面による上側部材３１の断面は直線状に形成されており、前記平面による側方部材３３の断面も直線状に形成されている。一方、前記平面による下側部材３５の断面は、前記側方部材３３側（図５の右側）である基端部側４５では、上側部材３１と側方部材３３と下側部材３５とで形成される内側空間３６の外側に凸な円弧状に形成されており、側方部材３３から離れた側（図５の左側）である先端部側４７では、先端部に近づくにしたがって上側部材３１に近づくような、上側部材３１の断面に対して斜めである直線状に形成されている。たとえば、上側部材３１の断面に対して約１１°の角度で交差するような直線状に形成されている。
【００３５】
また、下側部材３５の円弧状の部位は、図５に示すように、側方部材３３の延長線Ｌ１と下側部材３５の先端部側４７の部位の延長線Ｌ３との交点Ｐ１から前記側方部材３３側に延びる線分、および、前記交点Ｐ１から前記下側部材３５の先端部側に延びる線分よりも、前記内側空間３６側に位置している。
【００３６】
そして、ダクト２１からアダプタ３０内に供給された空気がアダプタ３０の空間の作用によって速度エネルギが圧力エネルギに変換され、その結果貫通孔４１を通過する風速がほぼ均一になるようにすることができる。そして、貫通孔４１を通ってフラップ１１の内側空間３６に供給され、空気吸引口７に向かって送り出されるようになっている。より詳しく説明すると、貫通孔４１から下方に吹き出された空気は、内側空間３６内の側方部材３３側の部位を通って図５の下方向に移動し、基端部側４５の部位の内壁にぶつかった後、先端部側４７の部位の内壁に沿って、フラップ１１の開口部４９から吹き出され、天井５に沿うようにしてやや上向きで、図１に矢印ＡＲ５で示し図３に矢印ＡＲ３で示すように、空気吸引口７に向かって送り出されるようになっている。
【００３７】
なお、図３に示す態様では、所定の長さＬ５のフラップ１１を５つ組み合わせて、喫煙エリア２９を形成しているが、フラップ１１の使用個数や配置を変えれば、喫煙エリアの形を容易に変えることができる。
【００３８】
次に、分煙システム１の動作について説明する。
【００３９】
空気清浄機１３が稼動し、空気吸引口７から吸い込んだ空気の一部が、フラップ１１から空気吸引口７に向かって図１に示す矢印ＡＲ５で示すように送り出されているものとする。この状態で、喫煙エリア２９内で煙草Ｔ１から煙ＳＭが発生すると、この煙ＳＭは温度が高いので上昇し、フラップ１１から吹き出された空気に誘引され、空気吸引口７に吸い込まれる。吸い込まれた後、集塵部で煙が除去される。
【００４０】
次に、分煙システム１の試験結果を示す。
【００４１】
図６は、試験を行なったときの状態を示す図であり、図６（ａ）は喫煙エリア２９の正面図であり、図６（ｂ）は喫煙エリア２９の平面図である。
【００４２】
図６に示す各Ｔ３は、煙草１本による発煙ポイントであり、Ｍ１、Ｍ２、Ｍ３は粉塵測定器（Ｐ５−Ｈ，柴田科学株式会社製）での空気中の粉塵濃度の測定ポイントである。なお、図６から明らかなように、発煙ポイントＴ３は喫煙エリア２９内に存在し、測定ポイントＭ１、Ｍ２、Ｍ３は、喫煙エリア２９の外に存在している。この試験の結果からは喫煙エリア２９外の粉塵濃度の変化を確認し、粉塵濃度（若しくは後述の濃度比率）が上昇しなければ従来より喫煙エリア２９に漏れることが少ないことが確認できる。
【００４３】
図７は、分煙システム１の試験結果を示すグラフである。
【００４４】
図７の横軸は、フラップ１１からの空気の吹き出し速度を示し、縦軸は、図１２に示すような４方向吹出し（周知の形態である天井埋め込みカセット形４方向吹き出し型の略称）に対する濃度比率、すなわち、従来の天井取り付け型の空気清浄機を用いたときと、分煙システム１を用いたときとの、各測定点Ｍ１、Ｍ２、Ｍ３における煙の濃度の比率を示している。値が、「１」のときは、従来の天井取り付け型の空気清浄機と煙の濃度が同じであり、値が、「１」より小さいときは、従来の天井取り付け型の空気清浄機を用いた場合よりも、煙の濃度が薄くなっていることを示している。なお、煙の濃度は各測定点Ｍ１、Ｍ２、Ｍ３の平均値をとってある。
【００４５】
ここで実験の方法を詳しく説明すると、図６の通りに配置した実験装置を用いて空気清浄装置１３を稼働させ、空気吸引口７より喫煙エリア２９の空気を吸引し、吸引した空気の一部を喫煙エリア２９外に排気し、他の一部の空気をフラップ１１から喫煙エリア２９に吹き出させる。ついで、粉塵測定器を稼働させ一分間隔で測定ポイントＭ１、Ｍ２、Ｍ３の粉塵濃度を測定するように設定する。数分間測定をした後に各発煙ポイントＴ３の位置で副流煙が発生するように煙草（マイルドセブン；登録商標）を一本ずつ治具で配置し火をつける。煙草は、フィルタからの吸引を行なわずに自然に燃えるように放置して火が消えてもそのままとして火をつけてから９分後に各Ｔ３の煙草を新しい物に交換してまた火をつける。喫煙エリア２９の粉塵濃度すなわち各測定ポイントの粉塵濃度が飽和するまでこの煙草の交換・着火を繰り返す。各測定ポイントの飽和粉塵濃度を測定し、3箇所の平均値を算出した結果を粉塵濃度として使用した。
【００４６】
従来の空気清浄機について簡単に説明すると、従来の空気清浄機は、図１２に示すように、空気吸引口７のまわりに空気吹出口５１が設けられた構成になっている。なお、分煙システム１では、空気吹出口５１は存在していない。
【００４７】
また、図７は、喫煙エリア２９の大きさを６．５ｍ×６．５ｍにしたときの結果を示し、図７に示した各点（黒丸）が測定値であり、カッコ内の数字は、点のグラフ上の座標を示し、例えば「（０．５，０．５４）」とは、風速０．５ｍ／ｓ時に濃度比率が０．５４であることを示すものである。
【００４８】
分煙システム１を用いれば、フラップ１１からの空気の吹き出し速度が、０．３８ｍ／ｓ〜１．６ｍ／ｓにおいて、従来よりも効率よく分煙することができることが、図７によってわかる。
【００４９】
また、図８は、喫煙エリア２９の大きさを５．０ｍ×５．０ｍにしたときの結果を示す。その他の点は、図７の場合と同様である。
【００５０】
分煙システム１を用いれば、フラップ１１からの空気の吹き出し速度が、０．５ｍ／ｓ〜１．１ｍ／ｓにおいて、従来よりも効率よく分煙することができることが、図８によってわかる。
【００５１】
ところで、前述した分煙システムでは、平面視において、矩形状に形成されている喫煙エリアの互いに隣接している２辺にフラップ１１を設け、他の２辺を部屋の壁にしてあるが、対向する２辺にフラップを設け、他の２辺を部屋の壁にしてもよい。
【００５２】
また、図９に示すように、４辺にフラップを設けて、すなわち、フラップ１１のみで空気吸引口７を囲むようにフラップ１１を配置し喫煙エリアを形成してもよい。この場合、空気吸引口７は、フラップ１１で囲まれた部位のほぼ中央部に存在していることが望ましい。
【００５３】
また、図１０に示すように、長く延びた部屋の壁５３に対向して平行にフラップ１１を設け、喫煙エリアを形成してもよい。さらには、図１１に示すように、３辺を部屋の壁５３で構成し残りの１辺にフラップ１１を配置し喫煙エリアを形成してもよい。これらの場合、壁５３の近傍であって各フラップ１１から最も離れたところに空気吸引口７が存在していることが望ましい。
【００５４】
さらに、平面視における喫煙エリアの形状を、部屋の壁やフラップ１１を適宜配置することで、三角形等の多角形状にしてもよい。さらに、フラップ１１の形状を円弧状等の曲線状にして、平面視における喫煙エリアの形状を円形状等に形成してもよい。
【００５５】
分煙システム１によれば、空気吹出口９から吹き出した空気を、天井５に沿うようにしてやや上向きで空気吸引口７に向かって送り出すようになっているので、部屋３の部位のうちで空気吸引口７とフラップ１１との間に形成される喫煙エリア（空気吸引口７とフラップ１１との間に位置する部屋の部位）２９の外に煙草の煙が出てしまうおそれ（撒き散らされてしまうおそれ）を従来よりも少なくすることができる。
【００５６】
すなわち、喫煙エリア２９内の喫煙ポイントから発生した煙草の煙（副流煙；煙草から直接出てくる煙、呼出煙；喫煙者の口や鼻から出てくる煙）の温度は、喫煙エリア２９の空気の温度よりも高いので、前記喫煙ポイントから発生した煙草の煙は喫煙エリア２９の中で部屋３の天井５の付近まで上昇する。この上昇した煙がフラップ１１から空気吸引口７に向かう空気により誘引され、空気吸引口７に吸い込まれる。なお、煙の上昇する力が弱くても、空気吸引口７に向かう空気により誘引され、また、空気吸引口７だけの吸引により吸引され、空気吸引口７に吸い込まれる。したがって、前記喫煙ポイントから発生した煙草の煙が従来のように喫煙エリアの外（喫煙エリア以外の部屋の部位）に漏れ出すことを回避することができる。
【００５７】
また、空気吹出口９から吹き出した空気が、フラップ１１によって天井５に沿うようにしてやや上向きで空気吸引口７に向かい送り出されるので、空気を斜め下向きや水平に送り出す場合に比べ、空気吹出口９から吹き出された空気が確実に空気吸引口７に到達し、喫煙ポイントから発生した煙草の煙が誘引されて空気吸引口７に確実に到達する。
【００５８】
また、分煙システム１によれば、空気吹出口９から吹き出された空気が、フラップ１１によって、やや上向きで送り出されるので、喫煙エリア２９内に滞在している人に空気吹出口９から吹き出した風が直接あたることを避けることができ、喫煙エリア２９内に滞在している人に不快感を与えることを防止することができる。また、喫煙エリア２９内に滞在している人に空気吹出口９から吹き出した風があたることを避けることができるので、レストラン、居酒屋、喫茶店等の飲食物の提供場所に、分煙システム１を好適に採用することができる。
【００５９】
また、分煙システム１によれば、空気吸引口７から吸引された空気の一部が空気吹出口９から吹き出され、空気吸引口７から吸引された空気の他の一部が部屋３の外（喫煙エリア２９の外でもよい）に排出されるようになっているので、喫煙エリア２９内の空気の圧力が部屋の外（喫煙エリア外）の空気の圧力よりも僅かに低くなる。したがって、喫煙エリア２９内の喫煙ポイントから発生した煙草の煙が、喫煙エリア２９の外へ出てしまうおそれを一層確実回避することができる。
【００６０】
また、分煙システム１によれば、天井面に空気吸引口７やフラップ１１等を設けただけで分煙システム１が構成されているので、床２７に間仕切りを設ける必要がなく、部屋３のレイアウトが自由になり、また、部屋３の開放感を維持することができる。したがって、前述したように、レストラン、居酒屋、喫茶店等の飲食物の提供場所に、分煙システム１を好適に採用することができるものである。
【００６１】
さらに、分煙システム１によれば、空気吸引口７がフラップ１１からの空気の流れの最下流位置に設けられているので、空気吸引口７のまわりで空気が滞留することがなく、喫煙エリア２９内において十分な分煙を行なうことができる。
【００６２】
すなわち、平面視において矩形状である喫煙エリア２９において互いに隣接した２つの辺が部屋の壁である場合、フラップ１１からの空気の流れの最下流位置（前記２つの壁の交差位置の近傍の位置）の近傍に空気吸引口７が存在しているので、前記壁と空気吸引口７との間における空気の滞留を極力少なくすることができ、喫煙エリア２９内のいずれの位置においても、十分な分煙を行なうことができる。
【００６３】
ところで、既存の天井取り付け型空気清浄機を改造し、分煙システム１を構成してもよい。
【００６４】
すなわち、部屋に、空気吸引口とこの空気吸引口から吸入した空気を清浄化して噴き出す空気吹出口とを下面に備えた天井取り付け型の空気清浄機が既に設置されている場合、分煙ユニットを用いて、前記天井取り付け型の空気清浄機を改造し、分煙システム１を構成してもよい。このようにすることで、分煙システムを１を安価に得ることができる。
【００６５】
なお、前記分煙ユニットは、前記空気清浄機の空気吹出口からの空気の吹き出しを止めるための栓と、前記空気清浄機の空気吹出口の上流で前記空気清浄機内に位置している空気流路を流れている空気の一部を、前記空気清浄機が取り付けられる部屋の外部に排出するための第１のダクトと、前記空気清浄機の空気吹出口の上流で前記空気清浄機内に位置している空気流路を流れている空気の他一の部を、前記空気清浄機が取り付けられる部屋の天井から前記部屋内に吹き出すための第２のダクトと、前記第２のダクトから吹き出た空気を、前記天井に沿うようにしてやや上向きで前記空気吸引口に向かって送り出すフラップ１１とで構成されるものである。
【図面の簡単な説明】
【００６６】
【図１】本発明の実施形態に係る分煙システムの概略構成を示す図である。
【図２】分煙システムの概略構成を示す図である。
【図３】分煙システムの概略構成を示す図である。
【図４】フラップおよびフラップとダクトとの間に設けられたアダプタの概略構成を示す図である。
【図５】図４におけるＶ−Ｖ断面を示す図である。
【図６】試験を行なったときの状態を示す図である。
【図７】分煙システムの試験結果を示すグラフである。
【図８】分煙システムの試験結果を示すグラフである。
【図９】喫煙エリアの変形例を示す図である。
【図１０】喫煙エリアの変形例を示す図である。
【図１１】喫煙エリアの変形例を示す図である。
【図１２】周知の形態である天井埋め込みカセット形４方向吹き出し型の空気清浄機を示す図である。
【符号の説明】
【００６７】
１  分煙システム
３  部屋
５  天井
７  空気吸引口
９  空気吹出口
１１  フラップ
２９  喫煙エリア
【図１】
2007040582.tif 000003
【図２】
2007040582.tif 000004
【図３】
2007040582.tif 000005
【図４】
2007040582.tif 000006
【図５】
2007040582.tif 000007
【図６】
2007040582.tif 000008
【図７】
2007040582.tif 000009
【図８】
2007040582.tif 000010
【図９】
2007040582.tif 000011
【図１０】
2007040582.tif 000012
【図１１】
2007040582.tif 000013
【図１２】
2007040582.tif 000014